(57)【特許請求の範囲】
【請求項１】
液晶装置と、該液晶装置を保持する保持体と、を有する電気光学装置と、
前記電気光学装置に光束を照射する光源と、
前記電気光学装置からの出射光をスクリーン上に拡大投射する投射レンズと、
を備える電子機器であって、
前記保持体は、前記液晶装置を収容する収容部と、前記保持体に開口されて、前記光源からの光束を前記液晶装置へと入射させる入射窓と、前記入射窓を規定する窓枠部と、を有し、
前記窓枠部は、前記光束が入射する側の面である第１面と、前記光束が出射する側の面である第２面と、前記第１面及び前記第２面とそれぞれ交差する壁面と、を有し、
前記液晶装置は、該液晶装置の前記光束が入射する側の面と前記第２面とが対向するように配置されており、
前記窓枠部の、前記第１面と前記壁面との交差によって規定されるエッジ部の曲率半径は０〜０．４ｍｍの範囲であることを特徴とする電子機器。
【請求項２】
前記壁面は、前記光束の照射方向に対して１０°〜１５°の傾斜角を有すると共に、前記液晶装置側へ拡開するテーパ状に形成してされていることを特徴とする請求項１に記載の電子機器。
【請求項３】
液晶装置と、該液晶装置を保持する保持体と、を有する電気光学装置と、
前記電気光学装置に光束を照射する光源と、
前記電気光学装置からの出射光をスクリーン上に拡大投射する投射レンズと、
を備える電子機器であって、
前記保持体は、前記液晶装置を収容する収容部と、前記保持体に開口されて、前記光源からの光束を前記液晶装置へと入射させる入射窓と、前記入射窓を規定する窓枠部と、を有し、
前記窓枠部は、前記光束が入射する側の面である第１面と、前記光束が出射する側の面である第２面と、前記第１面及び前記第２面とそれぞれ交差する壁面と、を有し、
前記液晶装置は、該液晶装置の前記光束が入射する側の面と前記第２面とが対向するように配置されており、
前記窓枠部の、前記第１面と前記壁面との交差によって規定されるエッジ部には、断面凹溝状の溝部が形成されていることを特徴とする電子機器。
【請求項４】
前記壁面は、前記光束の照射方向に対して１０°〜１５°の傾斜角を有すると共に、前記液晶装置側へ拡開するテーパ状に形成してされていることを特徴とする請求項３に記載の電子機器。
【請求項５】
液晶装置と、該液晶装置を保持する保持体と、を有する電気光学装置と、
前記電気光学装置に光束を照射する光源と、
前記電気光学装置からの出射光をスクリーン上に拡大投射する投射レンズと、
を備える電子機器であって、
前記保持体は、前記液晶装置を収容する収容部と、前記保持体に開口されて、前記光源からの光束を前記液晶装置へと入射させる入射窓と、前記入射窓を規定する窓枠部と、を有し、
前記窓枠部は、前記光束が入射する側の面である第１面と、前記光束が出射する側の面である第２面と、前記第１面及び前記第２面とそれぞれ交差する壁面と、を有し、
前記液晶装置は、該液晶装置の前記光束が入射する側の面と前記第２面とが対向するように配置されており、
前記壁面は、前記光束の照射方向に対して１０°〜１５°の傾斜角を有すると共に、前記液晶装置側へ拡開するテーパ状に形成してされていることを特徴とする電子機器。
【請求項６】
電気光学装置と、
該電気光学装置に光束を照射する光源と、
前記電気光学装置からの出射光をスクリーン上に拡大投射する投射レンズと、    
を備える電子機器であって、
前記電気光学装置は、
液晶装置と、
前記液晶装置を保持する保持体と、
前記保持体に開口されて前記光源からの光束を前記液晶装置へ入射させる入射窓と、
を備え、
前記入射窓を規定する窓枠部に照射される前記光束中の斜め光の前記液晶装置側への反射率を低減させるために、前記窓枠部の光束入射側のエッジ部を断面凹溝状に形成しており、且つ、前記窓枠部の壁面を前記斜め光の傾斜角と平行、或いは該傾斜角よりも前記液晶装置側へ拡開するテーパ状に形成した
ことを特徴とする電子機器。
【発明の詳細な説明】
【技術分野】
【０００１】
本発明は、光源からの光束に含まれている斜め光による液晶装置での光リーク電流の発生を抑制し、光リーク画像ムラの発生を防止する電気光学装置、及びこれを備えたプロジェクタ、並びに電子機器に関する。
【背景技術】
【０００２】
スクリーン上に拡大画像を投射して表示させるプロジェクタは、光源と、光源から射出された光束をダイクロイックミラーを用いて三色の色光Ｒ，Ｇ，Ｂに分離する色分離光学系と、分離された光束を各色光毎に、画像情報に応じて変調する３枚の光変調用液晶装置と、各光変調用液晶装置で変調された光束を、合成する色合成光学装置とを備えたいわゆる三板式のもの、或いは１枚の光変調用液晶装置と色生成手段とから構成される単板式のものが知られている。
【０００３】
又、光変調用液晶装置の一例である液晶ライトバルブは、ガラス基板、石英基板等の２枚の透明な基板間に電気光学物質としての液晶を封入して構成されており、一方の基板に、例えば薄膜トランジスタ（Thin Film Transistor、以下、「ＴＦＴ」と略称）等の能動素子をマトリクス状に配置し、他方の基板に対向電極を配置して、両基板間に封止した液晶層の光学特性を画像信号に応じて変化させることで、画像表示を可能にしている。
【０００４】
このような構成からなる液晶ライトバルブ（光変調用液晶装置）は、取付部が設けられていないため、例えば特許文献１（特開２００４−３５６００号公報）に開示されているように、金属製等の保持体に収容保持し、この保持体を色合成光学装置の光束入射端面に、ねじ等の固定手段を用いて固定している。
【０００５】
ところで、この液晶ライトバルブは、一方の基板（ＴＦＴアレイ基板）に配設したＴＦＴ素子のチャネル領域やドレイン端に強い光が照射されると、光による励起で光リーク電流が発生し、ＴＦＴの特性が変化し、表示面における画質の不均一やコントラスト比の低下、フリッカ特性の劣化等の原因となる。
【０００６】
そのため、ＴＦＴ素子のチャネル領域やチャネル隣接領域に光が照射されないように、光束入射側に位置する他方の基板（対向基板）の少なくともＴＦＴ素子に対向する部分に光を遮光する遮光膜（ブラックマトリクス）を形成して、ＴＦＴ素子に強い光が照射されるのを防止するようにしている。
【特許文献１】特開２００４−３５６００号公報
【発明の開示】
【発明が解決しようとする課題】
【０００７】
近年、液晶プロジェクタは、投影画像の高輝度化、高解像度化を目的として、光源に高出力ランプを採用すると共に光の利用効率の向上を図っている。従って、液晶ライトバルブ（光変調用液晶装置）も、高輝度化に対応させるべく、画素の開口率を大きくして投射光透過率の向上を図り、且つ画素数を増加させて解像度を高めている。
【０００８】
画素数が増加すると相対的に有効画素領域が広げられ、液晶ライトバルブを保持する保持体に開口されている光束入射用の入射窓の窓枠と、液晶ライトバルブの有効画素領域の端部（以下、「有効画素端」と称する）との間の、光束入射方向に直交する側のマージンが従来よりも狭くなる。
【０００９】
液晶ライトバルブの有効画素端と入射窓の窓枠部とのマージンが狭くなると、光源から投射される光束に含まれている斜め光のうち、入射窓の窓枠部に照射されて反射した光がＴＦＴ素子に入射されて光リーク電流が発生し、液晶ライトバルブの有効画素領域の端部付近に井桁状の画素ムラ（以下、「光リーク画素ムラ」と称する）が発生し易くなる。
【００１０】
この対策として、入射窓の開口面積を大きくし、有効画素端とのマージンを広く確保すれば光リーク画素ムラの発生を回避することができるが、この入射窓は、窓枠部の縁部が液晶ライトバルブ（光変調用液晶装置）の入射側外周部分を固定する固定面として機能しているため、液晶ライトバルブを保持体に安定した状態で固定するには、入射窓を必要以上に広げることができない。
【００１１】
本発明は、上記事情に鑑み、保持体に開口されている入射窓を広げることなく、液晶装置を安定した状態で固定することができ、しかも入射窓の窓枠部に照射される斜め光の液晶装置側への反射を低減させて、光リーク画素ムラの発生を防止することのできる電気光学装置並びにこれを備えたプロジェクタ及び電子機器提供することを目的とする。
【課題を解決するための手段】
【００１２】
本発明の一実施形態に係る電子機器は、液晶装置と、該液晶装置を保持する保持体と、を有する電気光学装置と、前記電気光学装置に光束を照射する光源と、前記電気光学装置からの出射光をスクリーン上に拡大投射する投射レンズと、を備える電子機器であって、前記保持体は、前記液晶装置を収容する収容部と、前記保持体に開口されて、前記光源からの光束を前記液晶装置へと入射させる入射窓と、前記入射窓を規定する窓枠部と、を有し、前記窓枠部は、前記光束が入射する側の面である第１面と、前記光束が出射する側の面である第２面と、前記第１面及び前記第２面とそれぞれ交差する壁面と、を有し、前記液晶装置は、該液晶装置の前記光束が入射する側の面と前記第２面とが対向するように配置されており、前記窓枠部の、前記第１面と前記壁面との交差によって規定されるエッジ部の曲率半径は０〜０．４ｍｍの範囲であることを特徴とする。
また、本発明の一実施形態に係る電子機器において、前記壁面は、前記光束の照射方向に対して１０°〜１５°の傾斜角を有すると共に、前記液晶装置側へ拡開するテーパ状に形成してされていることを特徴とする。
また、本発明の一実施形態に係る電子機器は、液晶装置と、該液晶装置を保持する保持体と、を有する電気光学装置と、前記電気光学装置に光束を照射する光源と、前記電気光学装置からの出射光をスクリーン上に拡大投射する投射レンズと、を備える電子機器であって、前記保持体は、前記液晶装置を収容する収容部と、前記保持体に開口されて、前記光源からの光束を前記液晶装置へと入射させる入射窓と、前記入射窓を規定する窓枠部と、を有し、前記窓枠部は、前記光束が入射する側の面である第１面と、前記光束が出射する側の面である第２面と、前記第１面及び前記第２面とそれぞれ交差する壁面と、を有し、前記液晶装置は、該液晶装置の前記光束が入射する側の面と前記第２面とが対向するように配置されており、前記窓枠部の、前記第１面と前記壁面との交差によって規定されるエッジ部には、断面凹溝状の溝部が形成されていることを特徴とする。
また、本発明の一実施形態に係る電子機器において、前記壁面は、前記光束の照射方向に対して１０°〜１５°の傾斜角を有すると共に、前記液晶装置側へ拡開するテーパ状に形成してされていることを特徴とする。
また、本発明の一実施形態に係る電子機器において、液晶装置と、該液晶装置を保持する保持体と、を有する電気光学装置と、前記電気光学装置に光束を照射する光源と、前記電気光学装置からの出射光をスクリーン上に拡大投射する投射レンズと、を備える電子機器であって、前記保持体は、前記液晶装置を収容する収容部と、前記保持体に開口されて、前記光源からの光束を前記液晶装置へと入射させる入射窓と、前記入射窓を規定する窓枠部と、を有し、前記窓枠部は、前記光束が入射する側の面である第１面と、前記光束が出射する側の面である第２面と、前記第１面及び前記第２面とそれぞれ交差する壁面と、を有し、前記液晶装置は、該液晶装置の前記光束が入射する側の面と前記第２面とが対向するように配置されており、前記壁面は、前記光束の照射方向に対して１０°〜１５°の傾斜角を有すると共に、前記液晶装置側へ拡開するテーパ状に形成してされていることを特徴とする。
また、本発明の一実施形態に係る電子機器は、電気光学装置と、該電気光学装置に光束を照射する光源と、前記電気光学装置からの出射光をスクリーン上に拡大投射する投射レンズと、を備える電子機器であって、前記電気光学装置は、液晶装置と、前記液晶装置を保持する保持体と、前記保持体に開口されて前記光源からの光束を前記液晶装置へ入射させる入射窓と、を備え、前記入射窓を規定する窓枠部に照射される前記光束中の斜め光の前記液晶装置側への反射率を低減させるために、前記窓枠部の光束入射側のエッジ部を断面凹溝状に形成しており、且つ、前記窓枠部の壁面を前記斜め光の傾斜角と平行、或いは該傾斜角よりも前記液晶装置側へ拡開するテーパ状に形成したことを特徴とする。
また、本発明の一実施形態に係る電気光学装置は、液晶装置と、前記液晶装置を保持する保持体と、前記保持体に開口されて光源からの光束を前記液晶装置へ透過させる入射窓とを備え、前記入射窓の窓枠部に、該窓枠部に照射される前記光束中の斜め光の前記液晶装置側への反射率を低減させる低反射部を形成したことを特徴とする。
【００１３】
このような構成では、窓枠部に液晶装置側への反射率を低減させる低反射部を形成したので、入射窓を広げることなく液晶装置を安定した状態で固定することができる。又、窓枠部に照射される斜め光の液晶装置側の反射が低減されるので、液晶装置における光リーク画素ムラの発生を有効に防止することができる。
【００１４】
第２の電気光学装置は、第１の電気光学装置において、前記低反射部は前記窓枠部の光束入射側のエッジ部に形成されており、該エッジ部をシャープな形状に形成することで前記低反射部としたことを特徴とする。
【００１５】
このような構成では、エッジ部をシャープな形状に形成したので、エッジ部に照射された斜め光の液晶装置側への反射が低減され、液晶装置に発生する光リーク画像ムラを有効に防止することができる。
【００１６】
第３の電気光学装置は、第１或いは第２の電気光学装置において、前記低反射部は前記窓枠部の壁面に形成されており、該壁面を前記斜め光の傾斜角と平行、或いは該傾斜角よりも前記液晶装置側へ拡開するテーパ状に形成して前記低反射部としたことを特徴とする。
【００１７】
このような構成では、窓枠部の壁面を斜め光の傾斜角と平行、或いは、この傾斜角よりも液晶装置側へ拡開するテーパ状に形成したので、この壁面に斜め光が照射されず、液晶装置に発生する光リーク画像ムラをより一層防止することができる。
【００１８】
第４の電気光学装置は、第１或いは第３の電気光学装置において、前記低反射部は前記窓枠部の光束入射側のエッジ部に形成されており、該エッジ部を断面凹溝状に形成して前記低反射部としたことを特徴とする。
【００１９】
このような構成では、エッジ部を断面凹溝状に形成したので、エッジ部に照射された斜め光はその殆どが低反射部で、液晶装置の表示面に対して平行か、或いはこの表示面から離れる方向へ反射されるので、液晶装置に発生する光リーク画像ムラを有効に防止することができる。
【００２０】
第５の電気光学装置は、第１の電気光学装置において、前記低反射部は前記窓枠部の周囲に形成されており、該窓枠部に低反射層を形成することで前記低反射部としたことを特徴とする。
【００２１】
このような構成では、窓枠部に低反射層を形成したので、窓枠部の形状は従来のままで良く、高い汎用性を得ることができる。
【００２２】
第６の電気光学装置は、第５の電気光学装置において、前記低反射層は、光吸収率の高い材料を用いた塗装、コーティング、メッキ処理の何れかで形成されていることを特徴とする。
【００２３】
このような構成では、低反射層を、光吸収率の高い材料を用いた塗装、コーティング、メッキ処理の何れかで形成したので、保持体自体を後加工する必要がなく、製造が容易となる。又、低反射層の材料を自在に選択することが可能で、光リーク画像ムラの発生をより一層有効に防止することができる。
【００２４】
又、本発明によるプロジェクタは、少なくとも、前記請求項１〜６の何れか１項に記載の電気光学装置と、該電気光学装置に光束を照射する光源と、前記電気光学装置からの画像をスクリーン上に拡大投射する投射レンズとを備えることを特徴とする 。
【００２５】
このような構成では、プロジェクタに、少なくとも、第１〜６の電気光学装置の何れかを備えているので、スクリーン上に拡大投射される画像に光リーン画像ムラが表示されず、高い品質を保証することができる。
【００２６】
又、本発明による電子機器は、第１〜６の電気光学装置の何れかを備えることを特徴とする。
【００２７】
このような構成では、電子機器に、第１〜６の電気光学装置の何れかを備えるので、電子機器に設けられている電気光学装置に光リーク画像ムラが発生せず、高い品質を保証することができる。
【発明を実施するための最良の形態】
【００２８】
以下、図面に基づいて本発明の一形態を説明する。図１〜図９に本発明の第１形態を示す。図１はカラー液晶プロジェクタ装置の模式図、図２は液晶ライトバルブを保持する保持体をダイクロイックプリズムに取付けた状態の斜視図、図３は保持体と液晶ライトバルブとの分解斜視図である。
【００２９】
図１に示すように、電子機器の一例であるカラー液晶プロジェクタユニットは、液晶プロジェクタ１００とスクリーン１２０とを有している。液晶プロジェクタ１００は、各色光束Ｒ，Ｇ，Ｂを変調する液晶ライトバルブ本体（光変調用液晶装置）１３０を有する３枚の液晶ライトバルブ１１０Ｒ，１１０Ｇ，１１０Ｂを備えている。
【００３０】
液晶プロジェクタ１００は、メタルハライドランプ等の白色光源を有するランプユニット１０２から投射光が発せられると、３枚のミラー１０６及び２枚のダイクロイックミラー１０８によって、三原色に対応する光成分Ｒ，Ｇ，Ｂに分光され、各色毎に、画像情報に応じて変調する液晶ライトバルブ１１０Ｒ，１１０Ｇ，１１０Ｂにそれぞれ導かれる。その際、特に、Ｂ光は、長い光路による光損失を防ぐために、入射レンズ１２２、リレーレンズ１２３、及び出射レンズ１２４からなるリレーレンズ系１２１を介して導かれる。
【００３１】
そして、各液晶ライトバルブ１１０Ｒ，１１０Ｇ，１１０Ｂによりそれぞれ変調された三原色に対応する光成分は、色合成光学装置としてのダイクロイックプリズム１１１により再度合成された後、投射レンズ１１４を介して、この投射レンズ１１４に対設するスクリーン１２０上にカラー画像を投射する。その結果、このスクリーン１２０に拡大画像が表示される。尚、各液晶ライトバルブ１１０Ｒ，１１０Ｇ，１１０Ｂは同一の構成を有しているため、以下においては、これらを液晶ライトバルブ１１０と総称し一括して説明する。
【００３２】
図２に示すように、液晶ライトバルブ１１０は、保持体１１２に収容保持されている。尚、この保持体１１２と液晶ライトバルブ１１０とで電気光学装置が構成されている。又、この保持体１１２が、ダイクロイックプリズム１１１の光束入射面に固定板１１３を介して固定されている。尚、この固定板１１３には周知の射出側偏光板（図示せず）が保持されている。
【００３３】
図３に示すように、液晶ライトバルブ１１０は、平面略矩形形状の液晶ライトバルブ本体１３０と、この液晶ライトバルブ本体１３０の光束入射側と光束射出側とに各々密着された状態で貼り付けられている防塵ガラス１３１，１３２とを有している。尚、図においては、便宜的に防塵ガラス１３１，１３２が液晶ライトバルブ本体１３０から分離した状態で示されている。
【００３４】
又、液晶ライトバルブ本体１３０は、ＴＦＴアレイ基板（複数のライン状の電極と、画素を構成する電極と、これらの間に電気的に接続されたＴＦＴ素子とが形成された基板）１３３と対向基板（共通電極が形成された基板）１３４とがシール材１３５（図６、図７参照）を介して対向配設され、更に両基板１３３，１３４間のシール材１３５によって密閉された空間に液晶（電気光学物質）が封入されている。又、ＴＦＴアレイ基板１３３に設けられている外部回路接続端子（図示せず）にフレキシブルコネクタ１３６が接続されている。
【００３５】
ところで、図６、図７に示すように、ＴＦＴアレイ基板１３３の有効画素領域には、各画素を区画するように、ＴＦＴ素子のチャネル領域やチャネル隣接領域（以下、これらを便宜的に「ＴＦＴ素子部１３３ａ」と総称する）が設けられており、このＴＦＴ素子部１３３ａに対向する対向基板１３４の対向面には、このＴＦＴ素子部１３３ａに光束が直接入射されないように、光を遮光する遮光膜（ブラックマトリクス）１３４ａが形成されている。尚、図においては、有効画素端付近のＴＦＴ素子部１３３ａ、及び遮光膜１３４ａのみが示されている。
【００３６】
保持体１１２は、液晶ライトバルブ１１０を収容保持する保持枠１４１と、この保持枠１４１と係合し、内部に収容されている液晶ライトバルブ１１０を押圧固定する枠状部材１４２とを備えている。
【００３７】
この枠状部材１４２は平板を加工して形成した板金製であり、この枠状部材１４２に出射窓１４２ａが開口されている。この出射窓１４２ａは、保持枠１４１に収容される液晶ライトバルブ本体１３０に形成される矩形の有効画素領域（画像が形成される領域）に対向し、且つこの有効画素領域よりも広い形状に形成されている。更に、枠状部材１４２の左右両側にフック１４２ｂが曲げ形成されており、このフック１４２ｂが係合されるフック係合部１４１ａが、保持枠１４１に形成されている。
【００３８】
保持枠１４１はアルミニューム合金等を素材とするダイカスト成型品、或いは鍛造成型品であり、この保持枠１４１の四隅に、固定手段としてのねじ１３７を挿通する挿通孔１４１ｂが穿設されている。更に、この保持枠１４１に、液晶ライトバルブ１１０を収容する収容部１４３が形成されており、この収容部１４３の一側（図５の上面）にフレキシブルコネクタ１３６を外部へ延出させる切欠き部１４４が形成されている。
【００３９】
又、この収容部１４３の光束入射側に、ランプユニット１０２からの投射光を入射する入射窓１４１ｃが開口されている。この入射窓１４１ｃは、液晶ライトバルブ本体１３０の有効画素領域に対向し、且つこの有効画素領域よりもやや広い相似形に形成されている。尚、入射窓１４１ｃの大きさは、有効画素領域と同一であっても良い。
【００４０】
図４に示すように、この収容部１４３に液晶ライトバルブ１１０を装着した状態では、対向基板１３４側の表面に貼り付けられている防塵ガラス１３１の外縁部が入射窓１４１ｃの内縁部に当接され、又、ＴＦＴアレイ基板１３３側の表面に貼り付けられている防塵ガラス１３２の外面が保持枠１４１の開口端面側に露呈されている。尚、図示しないが液晶ライトバルブ１１０の側面と収容部１４３の壁面との間には、光硬化型接着剤等のモールド剤が充填されており、このモールド剤にて液晶ライトバルブ１１０が収容部１４３に所定に位置決めされた状態で固定される。
【００４１】
又、この保持枠１４１のＴＦＴアレイ基板１３３側に貼り付けられている防塵ガラス１３２が露呈する面（図４の下面）に枠状部材１４２が装着され、その左右両側に曲げ形成されているフック１４２ｂが、保持枠１４１に形成されているフック係合部１４１ａに係合されて、防塵ガラス１３２の外縁部が保持固定される。
【００４２】
又、図６、図７に示すように、保持枠１４１に開口されている入射窓１４１ｃの四辺からなる窓枠部１４１ｄの各壁面１４１ｅは、液晶ライトバルブ１１０の表示面（有効画素領域）に対して直角に配設されている。更に、この窓枠部１４１ｄの各辺の光束入射側のエッジ部１４１ｆが低反射部を構成している。本形態ではエッジ部１４１ｆを実質的にシャープな曲率半径Ｒ（約0〜0.4[mm]）で形成することで、このエッジ部１４１ｆを低反射部としている。
【００４３】
このエッジ部１４１ｆをシャープな曲率半径Ｒに形成する技術としては種々のものが考えられる。例えば保持枠１４１がダイカスト成形品の場合は、金型にキャビティを形成するに際し、エッジ部１４１ｆに対応するキャビティのエッジ部分をエンドミル等の研削盤を用いて高精度に形成することで成型の際に一度で形成させることができる。或いは金型の合せ面を、エッジ部１４１ｆに対応した位置に設け、成形後に形成されるパーティングラインを後加工により除去することで、エッジ部１４１ｆをシャープに形成するようにしても良い。その際、パーティングラインの形状が、実質的にシャープな曲率半径Ｒに影響を及ぼすほどのものでない場合は、後加工を省略してパーティングラインをそのまま残しておいても良い。
【００４４】
又、保持枠１４１が鍛造、プレス等の塑性成形品であれば、入射窓１４１ｃを形成するダイやポンチの、エッジ部１４１ｆに対応するエッジ部分をシャープなエッジに形成することで成型することができる。勿論、保持枠１４１を成形した後に、エッジ部１４１ｆを抜き加工、切削加工によりシャープに形成するようにしても良い。
【００４５】
次に、このような構成による本形態の作用について説明する。
【００４６】
図３に示すように、液晶ライトバルブ本体１３０の両面に防塵ガラス１３１，１３２が貼付されている液晶ライトバルブ１１０は、保持枠１４１に形成されている収容部１４３に収容されて位置決め固定されている。又、この液晶ライトバルブ１１０を収容保持する保持枠１４１の、防塵ガラス１３２の光束出射側が露呈されている面に枠状部材１４２が当接され、この枠状部材１４２の両側に形成されているフック１４２ｂが、保持枠１４１に形成されているフック係合部１４１ａに係合されて、防塵ガラス１３２の周縁部が押圧されている。
【００４７】
又、図６、図７に示すように、保持枠１４１の収容部１４３に収容固定されている液晶ライトバルブ１１０の対向基板１３４側に貼り付けられている防塵ガラス１３１の光束入射面の周縁が、保持枠１４１に開口されている入射窓１４１ｃの収容部１４３の端縁に当接されている。この入射窓１４１ｃは、液晶ライトバルブ本体１３０の有効画素領域よりもやや広い相似形に形成されている。
【００４８】
又、図２に示すように、液晶ライトバルブ１１０を保持する保持枠１４１と枠状部材１４２とで構成される保持体１１２が、固定板１１３を介してダイクロイックプリズム１１１の光束入射面にねじ１３７により固定されている。尚、ダイクロイックプリズム１１１の光束入射面は、各色光束Ｒ，Ｇ，Ｂに対応して３面設けられており、この各光束入射面に保持体１１２が固定板１１３を介して各々固定されている。
【００４９】
そして、各色光束Ｒ，Ｇ，Ｂに対応する液晶ライトバルブ１１０を保持する保持体１１２が保持されているダイクロイックプリズム１１１を、液晶プロジェクタ１００に所定に組付けた後、図１に示すように、ランプユニット１０２から投射光を発すると、この光束が、保持枠１４１の入射窓１４１ｃを通過して液晶ライトバルブ１１０に入射される。
【００５０】
ところで、ランプユニット１０２から投射される光束には、出射方向に平行な光だけでなく斜め光が含まれている。この斜め光は、光束の投射方向に対して１０〜１５°程度の傾斜角であり、液晶ライトバルブ１１０に対しては鋭角に入射されるため、ＴＦＴアレイ基板１３３に形成したＴＦＴ素子部１３３ａに対しては遮光膜１３４ａで遮光されて光が照射されることはない。
【００５１】
又、窓枠部１４１ｄの各辺に形成された壁面１４１ｅに照射された斜め光は、この壁面１４１ｅが液晶ライトバルブ１１０の表示面に対して直角に配設されているため、この壁面１４１ｅから反射した斜め光は、ランプユニット１０２からの投射光に含まれている斜め光とほぼ同じ角度で液晶ライトバルブ１１０に入射される。従って、この壁面１４１ｅから反射した斜め光がＴＦＴ素子部１３３ａに照射されることはない。
【００５２】
更に、窓枠部１４１ｄの光束入射側のエッジ部１４１ｆに照射された斜め光は、このエッジ部１４１ｆが実質的にシャープな曲率半径Ｒで形成されているため、少なくとも液晶ライトバルブ１１０の表示面に対して平行か、或いはこの表示面に対して離れる方向へ反射されるものが多く、従って、液晶ライトバルブ１１０に入射される斜め光が低減される。
【００５３】
その結果、保持枠１４１に開口されている入射窓１４１ｃの各辺に形成した窓枠部１４１ｄから反射した斜め光がＴＦＴ素子部１３３ａに照射されることが殆ど無くなり、光リークによる光リーク画素ムラの発生を有効に防止することができる。又、窓枠部１４１ｄから反射された斜め光がＴＦＴ素子部１３３ａに殆ど照射されないため、入射窓１４１ｃを液晶ライトバルブ１１０の有効画素面積に対して必要以上に広げることがなく、液晶ライトバルブ１１０を安定した状態で固定することができる。
【００５４】
次に、図８、図９を参照してコンピュータを用いた解析シミュレーションを示す。図８には解析シミュレーションに用いた形状モデルが示されており、図９には解析シミュレーションによって得られた液晶ライトバルブ内への進入光量の分布が示されている。尚、図８においては、便宜的に、本形態で説明した構成部品に相当する部分に対して当該構成部品と同一の符号を付し、本形態と同一の部品名を用いて説明する。
【００５５】
この解析シミュレーションでは、窓枠部１４１ｄのエッジ部１４１ｆに対する曲率半径Ｒを変化させ、そのときの液晶ライトバルブ１１０に進入する光量を計測したものである。
【００５６】
尚、形状モデルデータは次の通りである。液晶ライトバルブ１１０は防塵ガラス１３２、ＴＦＴアレイ基板１３３、対向基板１３４、防塵ガラス１３１および保持枠１４１で構成されている。又、ＴＦＴアレイ基板１３３上に有効画素領域を設定し、この有効画素領域は22×30＝660個のセルで分割されている。更に、光源は、窓枠部１４１ｄのエッジ部１４１ｆに対し斜め光に相当する角度（傾斜角１５°）で照射するものとし、その光束は平行に近い角（散乱角度0.1°）で20万本に設定されている。
【００５７】
そして、エッジ部１４１ｆの曲率半径Ｒを、Ｒ0[mm]、Ｒ0.1[mm]、Ｒ0,3[mm]、Ｒ0.5[mm]の４種類に設定し、それぞれにおいて、このエッジ部１４１ｆに照射した光束が有効画素領域の各セルに何本当たるか、換言すれば、有効画素領域に照射される光量を計測した。
【００５８】
この解析シミュレーションによる解析結果を図９に示す。同図に示すように、いずれの形状モデルにおいても、有効画素端から約1[mm]の位置で最も多い光量が計測された。そして、この光量と予め設定したスライスレベルＳＬとを比較した。このスライスレベルＳＬは、井桁状の光リーク画素ムラが観測される光量を実験などから求めて設定したものである。
【００５９】
図９に示す光量分布を参照する限り、エッジ部１４１ｆの曲率半径ＲがＲ0.5[mm]の場合は光リーク画素ムラが発生し、又、曲率半径ＲがＲ0[mm]、Ｒ0.1[mm]、Ｒ0.3[mm]の場合は光リーク画素ムラが発生しないと推定される。エッジ部１４１ｆの半径曲率をＲ0[mm]とすることは現実的に不可能であるため、エッジ部１４１ｆに曲率半径Ｒ0.3〜Ｒ0.4[mm]程度付いても問題無いと考えられる。
【００６０】
又、図１０に本発明の第２形態による図６相当の拡大断面図を示す。尚、図６と同一の構成部分については同一の符号を付して説明を簡略化する。
【００６１】
本形態では、エッジ部１４１ｆのみならず、壁面１４１ｅも低反射部としている。すなわち、本形態では、壁面１４１ｅをエッジ部１４１ｆから収容部１４３方向へ拡開するテーパ状に形成することで、この壁面１４１ｅに斜め光が照射されないようにしたものである。
【００６２】
上述したように、斜め光は光束の投射方向に対して１０〜１５°程度の傾斜角で入射される。従って、この壁面１４１ｅを１０〜１５°程度の傾斜角で収容部１４３の方向へテーパ状に形成すれば、壁面１４１ｅに照射される斜め光は無くなり、従って、この壁面１４１ｅから反射される光も無くなる。その結果、ＴＦＴ素子部１３３ａに光が入射されず、光リーク電流の発生をより一層低減させることができる。更に、エッジ部１４１ｆで反射した斜め光が、このエッジ部１４１ｆ付近の壁面１４１ｅで二重反射することが無くなり、これによって光リーク電流の発生を更により一層低減させることができる。
【００６３】
図１１に本発明の第３形態による図６相当の拡大断面図を示す。尚、図６と同一の構成部分については同一の符号を付して説明を簡略化する。
【００６４】
本形態は、上述した第２形態の変形例であり、壁面１４１ｅの中途を、エッジ部１４１ｆ側を斜め光の傾斜角（１０〜１５°程度）よりも大きな傾斜角で、エッジ部１４１ｆから収容部１４３方向へ拡開するテーパ状に形成することで低反射部とし、その途中から収容部１４３方向へかけては、第１形態と同様に垂直な面としたものである。
【００６５】
そして、この垂直な面の収容部１４３（光束出射側）のエッジ部と光束入射側のエッジ部１４１ｆとを結ぶ線が、斜め光の傾斜角に相当する角度、或いはそれ以上に傾斜した角度になるように設定されている。尚、エッジ部１４１ｆは、第１形態と同様、実質的にシャープな曲率半径で形成されている
従って、本形態においても、上述した第２形態と同様、壁面１４１ｅから反射する斜め光が殆どなく、しかも上述した二重反射も防止できるので、光リーク電流の発生をより一層低減させることができる。
【００６６】
又、図１２に本発明の第４形態による図６相当の拡大断面図を示す。上述した第１形態では、エッジ部１４１ｆを実質的なシャープな曲率半径Ｒに形成することで低反射部としたが、本形態では、エッジ部１４１ｆに、エッジ方向に沿って形成した断面凹溝状の溝部１４１ｈを形成することで、エッジ部１４１ｆを低反射部としたものである。
【００６７】
すなわち、この断面凹溝状の溝部１４１ｈは、この溝部１４１ｈに入射される斜め光を、液晶ライトバルブ１１０の表示面（有効画素領域）に対して平行か、或いは液晶ライトバルブ１１０の表示面から離れる方向へ反射させる形状に形成されている。
【００６８】
エッジ部１４１ｆに形成した断面凹溝状の溝部１４１ｈを、この溝部１４１ｈに入射される斜め光が、液晶ライトバルブ１１０の表示面に対して平行か、或いは液晶ライトバルブ１１０から離れる方向へ反射させる形状とすることで、この溝部１４１ｈに入射される斜め光を液晶ライトバルブ１１０へ反射されることがなく、しかも壁面１４１ｅ側へ導かれて二重反射することもない。そのため、光リーク電流の発生をより一層低減させることができる。
【００６９】
尚、断面凹溝状の溝部１４１ｈは保持枠１４１を金型で成形する際に同時に形成しても良く、或いは後加工により形成しても良い。この溝部１４１ｈは比較的大きな公差で形成しても良いため成型、或いは加工が容易となる。又、この溝部１４１ｈを後加工する場合は、溝部１４１ｈに沿って両側に形成されるエッジが必然的にシャープに形成されるため、このエッジから液晶ライトバルブ１１０側へ反射される斜め光は極めて少なくなる。更に、壁面１４１ｅは、第２形態、或いは第３形態と同様、斜め光と平行か、それよりも大きなテーパ状に形成されていても良い。
【００７０】
又、図１３、図１４に本発明の第５形態を示す。図１３は保持枠１４１の正面図、図１４は図１３のXIV-XIV断面図である。尚、第１形態と同一の構成部分については同一の符号を付して説明を省略する。
【００７１】
上述した各形態では、窓枠部１４１ｄの形状で低反射部を形成したが、本形態では、窓枠部１４１ｄの形状は従来通りとし、この窓枠部１４１ｄに低反射層１５０を形成することで低反射部としたものである。
【００７２】
図１３、図１４に示すように、低反射層１５０は、窓枠部１４１ｄの壁面１４１ｅから光束入射側の上縁にかけて形成されている。この低反射層１５０は、黒色塗装或いは黒色剤をコーティング、又は黒色メッキ処理等、光吸収率の高い材料を用いて形成されている。尚、この場合、この低反射層１５０につや消し処理を施せば、反射率をより一層低減させることができる。
【００７３】
このような構成では、窓枠部１４１ｄに低反射層１５０を形成したので、窓枠部１４１ｄを、何ら特別に加工することなく、この窓枠部１４１ｄから液晶ライトバルブ１１０の方向へ反射する斜め光の反射率を大幅に低減させることができる。又、既存の製品に適用することができるため、高い汎用性を得ることができる。
【産業上の利用可能性】
【００７４】
本発明は、上述した形態に限られるものではなく、請求の範囲及び明細書全体から読み取れる発明の要旨、あるいは思想に反しない範囲で適宜変更可能であり、そのような変更を伴う電気光学装置、及びこれを備えたプロジェクタ、並びに電子機器もまた、本発明の技術的範囲に含まれるものである。
【００７５】
又、電子機器としては、例えば車両のインストルメントパネルに埋設されたプロジェクタから投射された画像をミラーにより、フロントウインド上のスクリーン（ウインドシールド）に投射させてドライバに視認させるヘッドアップディスプレイ（ＨＵＤ）であっても良い。更に、液晶装置は、ＴＦＴアクティブマトリクス駆動方式の液晶装置以外に、パッシブマトリックス型の液晶装置、ＴＦＤ（薄型ダイオード）をスイッチング素子として備えた液晶装置であっても良い。
【図面の簡単な説明】
【００７６】
【図１】第１形態によるカラー液晶プロジェクタ装置の模式図
【図２】同、液晶ライトバルブを保持する保持体をダイクロイックプリズムに取付けた状態の斜視図
【図３】同、保持体と液晶ライトバルブとの分解斜視図
【図４】同、図５のIV-IV断面に相当する断面図
【図５】同、保持枠の斜視図
【図６】同、図４のVI部拡大図
【図７】同、図５のVII−VII断面図
【図８】同、解析シミュレーションに用いた形状モデルの説明図
【図９】同、解析シミュレーションによって得られた液晶ライトバルブ内の進入光量の分布を示す図表
【図１０】第２形態による図６相当の拡大断面図
【図１１】第３形態による図６相当の拡大断面図
【図１２】第４形態による図６相当の拡大断面図
【図１３】第５形態による保持枠の正面図
【図１４】同、図１３のXIV-XIV断面図
【符号の説明】
【００７７】
１００…液晶プロジェクタ、１０２…ランプユニット、１１０，１１０Ｒ，１１０Ｇ，１１０Ｂ…液晶ライトバルブ、１１１…ダイクロイックプリズム、１１２…保持体、１１４…投射レンズ、１３０…液晶ライトバルブ本体、１３１，１３２…防塵ガラス、１３３…ＴＦＴアレイ基板、１３３ａ…ＴＦＴ素子部、１３４…対向基板、１３４ａ…遮光膜、１４１…保持枠、１４１ｃ…入射窓、１４１ｄ…窓枠部、１４１ｅ…壁面、１４１ｆ…エッジ部、１４１ｈ…溝部、１４３…収容部、１５０…低反射層、Ｒ…曲率半径
【図１】
0004572342.tif 000002
【図２】
0004572342.tif 000003
【図３】
0004572342.tif 000004
【図４】
0004572342.tif 000005
【図５】
0004572342.tif 000006
【図６】
0004572342.tif 000007
【図７】
0004572342.tif 000008
【図８】
0004572342.tif 000009
【図９】
0004572342.tif 000010
【図１０】
0004572342.tif 000011
【図１１】
0004572342.tif 000012
【図１２】
0004572342.tif 000013
【図１３】
0004572342.tif 000014
【図１４】
0004572342.tif 000015